(57)【要約】    骨粗鬆症、ヒップと脊椎の骨折及び(又は)脊椎固定を、少なくとも１個の導電性コイル（１１０）を衣類（９０）と一体化することにより予防及び(又は)治療をするための技術と装置で、前記衣類（９０）が治療領域の患者の皮膚近くで着用し、骨と治療領域に電界を生じるように、治療領域に浸透する磁束を生じるのに有効なコイルに電気信号を加えるのに適している。
2005514124.tif 000002
【特許請求の範囲】
【請求項１】
患者の骨粗鬆症、骨折及び（又は）骨の固定の予防及び（又は）治療をする方法で、
患者の皮膚に近接して着用するのに適した衣類に少なくとも１個の導電性コイルを一体化して、それによりその衣類を着用したときにコイルが患者の治療領域上に位置するようにすること、及び、
その治療領域の骨粗鬆症、及び（又は）、骨の破損及び（又は）固定の治療をするのに有効な治療領域に電場を生じるように、その治療領域に浸透する磁束を生じるのに有効な電気信号をコイルに加えること、
のステップから成る方法。
【請求項２】
コイルに加える前記の電気信号を生じる携帯形電源装置を設けるステップを追加し、前記携帯形電源装置は、その衣類を着用したときに患者が身につけるように十分小型で軽量であることを特徴とする請求項１の方法。
【請求項３】
携帯形電源装置が前記コイルに１００ｍAの正弦波振幅を持つ６０ｋHzの正弦波電流を供給するのに適していることを特徴とする請求項２の方法。
【請求項４】
衣類がアンダーシャツであり、そのアンダーシャツと一体になったときにコイルの形状が患者の脊椎の治療領域に沿って長軸を有する競技トラック形のデザインになっていることを特徴とする請求項１の方法。
【請求項５】
コイルがアンダーシャツに織り込まれていることを特徴とする請求項４の方法。
【請求項６】
コイルがアンダーシャツ内のポーチに置かれることを特徴とする請求項４の方法。
【請求項７】
コイルがＶＥＬＣＲＯ（Ｒ）によりアンダーシャツに取付けられていることを特徴とする請求項４の方法。
【請求項８】
衣類がアンダーパンツであり、そのアンダーパンツと一体になったときに、コイルが全体として円形であり、かつ、患者のヒップの上に中心があることを特徴とする請求項１の方法。
【請求項９】
コイルがアンダーパンツに織り込まれていることを特徴とする請求項８の方法。
【請求項１０】
コイルがアンダーパンツ内のポーチ内に置かれることを特徴とする請求項８の方法。
【請求項１１】
コイルがＶＥＬＣＲＯ（Ｒ）によりアンダーパンツに取付けられていることを特徴とする請求項８の方法。
【請求項１２】
アンダーパンツが患者の両方のヒップの上で全体として円形のコイルを受けるのに適合していることを特徴とする請求項８の方法。
【請求項１３】
患者の骨粗鬆症、骨折、及び(又は)骨の固定の予防及び(又は)治療のシステムで、
患者の皮膚に近接して着用するのに適した衣類であって、前記衣類がその中で一体になった少なくとも１個の導電性コイルを含み、それにより、着用したときにコイルが患者の治療領域上に位置するようにする衣類、及び、
治療領域に浸透する磁束を生じて、それにより、治療領域の骨の骨粗鬆症、骨折、及び(又は)骨の固定の治療をするのに有効な治療領域の骨の中に電場を生じるように、コイルに加える電気信号を発生する携帯用信号発生装置
を具備することを特徴とするシステム。
【請求項１４】
携帯用信号発生装置が蓄電池を含み、衣類を着用したときに、患者が身につけるために十分小型で軽量であることを特徴とする請求項１３のシステム。
【請求項１５】
その携帯用信号発生装置が前記コイルに３０ｋHzから２５０ｋHzの周波数範囲で１００ｍAの正弦波の振幅を持つ正弦波電流を供給するのに適していることを特徴とする請求項１３のシステム。
【請求項１６】
携帯用信号発生装置が６０ｋHzの正弦波電流を前記コイルに供給するのに適していることを特徴とする請求項１５のシステム。
【請求項１７】
衣類がアンダーシャツであり、かつ、コイルがそのアンダーシャツと一体になったとき、患者の脊椎の治療領域に沿った長軸を持つ競争トラック形になる設計になっていることを特徴とする請求項１３のシステム。
【請求項１８】
コイルがアンダーシャツに織り込まれていることを特徴とする請求項１７のシステム。
【請求項１９】
アンダーシャツがコイルを受入れるためのポーチを含んでいることを特徴とする請求項１７のシステム。
【請求項２０】
アンダーシャツがコイルを受けるためにＶＥＬＣＲＯ（Ｒ）のストリップを含むことを特徴とする請求項１７のシステム。
【請求項２１】
衣類がアンダーパンツであり、かつ、コイルが、アンダーパンツと一体になったときに、全体として円形であり、患者のヒップの上に中心を置いていることを特徴とする請求権１３のシステム。
【請求項２２】
コイルがアンダーパンツに織り込まれていることを特徴とする請求項２１のシステム。
【請求項２３】
アンダーパンツがコイルを受けるためのポーチを含んでいることを特徴とする請求項２１のシステム。
【請求項２４】
コイルがＶＥＬＣＲＯ（Ｒ）によりアンダーパンツに取付けられていることを特徴とする請求項２１のシステム。
【請求項２５】
アンダーパンツが、患者の両方のヒップの上で全体的に円形のコイルを受けるのに適していることを特徴とする請求項２１のシステム。
【発明の詳細な説明】
【技術分野】
【０００１】
本発明は骨粗鬆症、ヒップ(hip)の骨折、脊椎の骨折、及び(又は)脊椎固定の予防及び(又は)治療のために、患者の下着に挿入し、携帯用電源から動力を受けたコイルにより発生した誘導結合の電界を用いる装置及び方法に関する。
【背景技術】
【０００２】
特許文献１及び非特許文献１で以前に報告されているように、適当な容量結合電界がラットの椎骨又は脛骨に生じた骨粗鬆症を予防又は回復している。さらに、以前に特許文献２及び非特許文献２で、適当な容量結合電界がウサギの腓骨の新規骨折の治癒率を高め、かつ、骨移植手術と同等の率で、ヒトの骨折の癒着不能を治癒することが報告されている（非特許文献３）。最後になるが、最近、腰椎固定の補助手段として用いられた適当な容量結合電界が、電気的刺激を加えないで脊椎固定を行う患者と比較して、固定する率を有意に高めたことが報告されている（非特許文献４）。
【０００３】
上記の研究全てが容量結合を用いていて、それは、骨及び軟骨のような体内組織に電界を非侵襲的に生じる方法である。それらの研究で用いている容量結合は患者の治療個所に近接した又は付近の患者の皮膚の表面に一対の電極を付着させて使用する必要がある。骨折、癒着不能、骨の破損及び局部的腰椎固定の治療で患者に電気を加えるのには、容量結合は非常に便利で、患者に「フレンドリー」な方法である。しかしながら、多数の部分での脊椎固定の治療又は比較的大きな領域の治療には、容量結合は実際的な方法ではない。この容量結合の限界により、本発明の発明者は、特許文献３に示すように、多数のペアの電極を用いることにより又はストリップ(strip)電極を用いることにより、多数の高さの椎骨に同じ内部電場を生じるための方法及び装置を発明した。そこで示している多数のペア電極又はストリップ電極（脊椎の両側に１個ずつの長い電極）は、１日２４時間着用し、例えば、８−１２週の治療期間内に定期的に交換するように設計されている。
【０００４】
さらに、本発明の発明者は上記の特許及び文献に示した技術をヒトの骨粗鬆症、ヒップ又は脊椎の骨折の治療、及び(又は)、脊椎固定に拡張しようと目指している。しかしながら、本発明の発明者はすぐに、骨粗鬆症、ヒップ又は脊椎の骨折、及び(又は)、脊椎固定の患者についてヒトの脊椎及びヒップへ電気信号を加えることに、既存データをそのままでは移転しにくいことを発見した。骨粗鬆症、ヒップ又は脊椎の骨折の治療、及び(又は)脊椎固定のために患者に電気を加える場合の適切な電場の強さ及び方法を決定することが開発課題になっている。容量結合は、電極を取付けるのに家族の支援を必要とするので、骨粗鬆症を治療するために脊椎で電場を生じる方法では実質的に無くなっている。骨粗鬆症及びヒップ及び脊椎の損傷を生じているこの全体として高齢化した患者集団では、そのような支援は多くの場合得られない。さらに、そのような患者は典型的に数ヶ月から数年間、多分、その患者の生存期間中電場を加える必要がある。
【０００５】
従って、容量結合で実現できるのと同等の電場を、脊椎及びヒップのような他の骨と組織で生じさせることが望ましい。ただし、患者に電極を貼付ける必要がないように、容量結合の代わりに、電磁場のみを用いることが望ましい。誘導結合装置により、患者が治療領域に容易に取付けやすい衣類等を開発する機会を生じる。本発明はそのような衣類の機能を対象としている。
【特許文献１】米国特許第4,467,808号
【特許文献２】米国特許第4,535,775号
【特許文献３】米国仮出願番号第60/302,846号
【非特許文献１】Brighton et al. (Bone, 6:87-97, 1985; J. Orthopaedic Research, 6: 676-684, 1988; and J. Bone and Joint Surger, 71A: 228-236, 1989)
【非特許文献２】Bringhton et al. (J. Trauma 24: 153-155, 1984; J. Orthopaedic Research, 3: 331-340, 1985; and J. Bone and Joint Surgery, 67A; 577-585, 1985)
【非特許文献３】Clin. Orhtop. And Related Research, 321: 223-234, 1995)
【非特許文献４】Goodwin, Brighton, et al, Spine, 24: 1349-1356, 1999)
【発明の開示】
【課題を解決するための手段】
【０００６】
本発明は患者の下着の中に電線又は導電性の糸で作られた柔軟なコイルを一体化することにより、当該分野の上記のニーズに対応している。ここで述べるように、患者が着用した携帯用電源からの電気信号を加えることにより、時間的に変化する電場がコイル内に生じる。コイル内の時間的に変化する電場は時間的に変化する磁場を生じ、それがコイルの下の組織に容易に浸透し、それがそのような組織内に時間的に変化する電場を生じる。ここに示す実施例では、組織には、骨粗鬆症の進行を防止又は最小限にするために、ヒップ又は脊椎の骨折を治癒及び(又は)防止するために、及び(又は)、脊椎固定の治療をするために、治療する椎骨及びヒップの骨が含まれる。
【０００７】
本発明は、患者の皮膚に接近して着用するのに適した衣類に少なくとも１個の導電性コイルを一体化することにより、それによって、その衣類を着用したとき、コイルが患者の治療領域の上に位置し、治療領域に浸透する磁束を生じるのに有効な電気信号をコイルに加え、治療領域の骨の骨粗鬆症、骨折又は骨固定の治療をするのに有効な治療領域の骨と組織に電場を生じることで、患者の骨粗鬆症、ヒップの骨折、脊椎骨折、及び(又は)脊椎固定の予防及び(又は)治療をする装置及び方法に関する。好ましくは、その衣類を着用したとき、携帯用電源装置がコイルに入力するための電気信号を発生するが、患者の身体に装着できるように十分小型で軽量である。代表的実施例では、その携帯用電源装置は１００ｍAの正弦波の振幅を持つ６０ｋHzの正弦波電流をコイルに加えるのに適しているが、適当な治療を施すために他のタイプの電気信号を加えることもできる。
【０００８】
第一の実施例では、衣類はアンダーシャツ(undershirts)であり、コイルはアンダーシャツに一体化したときに、患者の脊椎の治療領域に沿って長軸を有する競技トラック形の形状になっている。コイルはアンダーシャツに織り込んでも、アンダーシャツ内のポーチ(pouch)内に置いても、ＶＥＬＣＲＯ（Ｒ）にアンダーシャツに取付けても良い。
【０００９】
第二の実施例では、衣類はアンダーパンツ(underpants)で、コイルはアンダーパンツ内に一体化したとき、円形で、その中心が患者のヒップ上に来る。コイルはアンダーパンツに織り込んでも、アンダーパンツ内のポーチに置いても、ＶＥＬＣＲＯ（Ｒ）によりアンダーパンツに取付けても良い。アンダーパンツは患者のヒップの一方又は両方の上で円形のコイルになるようにする。
【発明を実施するための最良の形態】
【００１０】
本発明に基づく電場で骨粗鬆症、ヒップ又は脊椎の骨折を防止し、治療するための、及び(又は)、脊椎固定をするためのシステム及び方法について、添付図面を参照して以下で詳細に示している。
【実施例１】
【００１１】
装置の形状
患者の皮膚の表面に付着し、従来技術の場合の容量結合システムのように、電極の下の組織に時間的に変化する電磁場を発生するために電気信号を受ける自己接着形電極の代わりに、本発明では、１日約８時間着用する衣類と一体化した電線又は導電性の糸で作られた柔軟なコイルを用いている。時間的に変化する電場が、患者が着用する小型携帯用電源によりコイル内に生じ、それがコイルの下の組織に容易に浸透する時間的に変化する電磁場を生じ、さらに、そのような組織内で時間的に変化する電場を生じる。ここで示す例示的実施例では、そのような組織には椎骨及びヒップの骨が含まれる。容量結合の場合と同等の電磁場をどのように生じるかを決定する問題は、適当に設計された導電性材料のコイルに時間的に変化する電流を加えて解析する必要がある。
【００１２】
図１（ａ）及び図１（ｂ）は共に絶縁された銅線又は他の適当な導電体から「競技トラック」形に好ましく作られたＮ回巻きのコイル１０を示している。本発明の第一の実施例に基づくと、コイル１０は衣類（図示せず）と一体化され、患者が着用して、コイル１０が患者の脊椎２０の治療領域の上に置かれるようにする。電源装置（図示せず）により生じたコイル内の時間的に変化する電流は磁束Ｂを生じるが、それは患者の皮膚３０を容易に浸透して脊椎２０の組織まで達する。この磁束Ｂが脊椎２０の骨の中に横向きの電場Ｅを生じて、効果的な骨粗鬆症の治療、及び、骨の固定、修理又は成長を生じる。図１で、“ａ”は椎骨の平均長を示し、“ｂ”は椎骨の平均直径を示し、“Ｌ”は“ｎ”個の椎骨を治療するように設計された衣類に一体化するためのコイル１０の長さを示している。“ｒ”は横向きの電場Ｅの適用距離である。
【００１３】
図２（ａ）及び図２（ｂ）は共に絶縁された銅線又は他の適当な導電体で好ましく円形に作られた半径ＲでＮ回巻きのコイル４０を示している。本発明の第二の実施例に基づくと、コイル４０は衣類５０に一体化されて、患者が着用することで、患者のヒップの治療領域の上にコイル４０が置かれるようにする。電源装置（図示せず）が時間的に変化する電流をヒップの上のコイル４０に生じて、磁束Ｂを生じる。それにより横向きの電場Ｅが組織内に生じ、電場Ｅがヒップの骨の修理／成長プロセスを生じる。
【００１４】
両方の実施例で、電源装置は好ましく小型軽量にして、患者のどこかのポーチに保持される。
【実施例２】
【００１５】
治療用電場を発生するのに必要なコイル内電流
この部分では、骨粗鬆症、ヒップ又は骨の破損、脊椎固定等の治療のために証明された治療用数値による振幅及び周波数の範囲で電場を発生するように、コイル１０又はコイル４０内の電流の値、及び、そのような電流の周波数を計算する。図３に示された形状（図２のヒップのコイル４０と同じ形状）について、横向きの電場の振幅／Ｅ／は式１により時間的に変化する磁束Ｂと関連している。
【００１６】
【数１】
2005514124.tif 000003
【００１７】
ここで／Ｅ／は図１及び図２に示すＥの大きさである。
【００１８】
【数２】
2005514124.tif 000004
【００１９】
は時間に対する図１及び図２に示された磁束Ｂの偏導関数である。又、ｒは図１及び図２に示された距離である。
【００２０】
本発明に基づくと、少なくとも２種類のコイル形状を使用できる。ヒップ用コイル４０の場合、円形コイルは解剖学的適合を容易にしている。一方、脊椎用コイル１０の場合、脊椎２０に取付けられるように設計された「競技トラック」形が望ましい。当該分野の技術者であれば、代わりの形状が可能であることを理解できるけれども、図１及び図２に示す現時点で好ましい２種類の形状について計算する。これらの２例に対する電場の振幅をコイル区域の中心領域について計算する。当該分野の技術者であれば、電極を用いる容量結合の場合と同様に、電場の振幅は場所により異なることを理解するであろう。これにより、その中心値が容量結合による中心値又は平均値と一致している場合に、Ｅ電場の治療可能範囲が存在するようにしている。
【００２１】
事例＃１  Ｎ回巻きの円形コイル（図２）
図３に示すように、ヒップのコイル４０はコイル半径Ｒ及びコイル電流Ｉ(ｔ)を有している。図４に示すように、コイルの中心領域で、コイルの面に垂直な磁束Ｂは以下の式で与えられる。
【００２２】
【数３】
2005514124.tif 000005
【００２３】
ここで、μoは自由空間（及びヒトの組織）の透磁率で、Nはコイルの巻き回数である。ｒ＜＜Rで、ヒップの骨がｚ＝Rの距離の領域に位置していれば、Bｚの近似値は式（２）により与えられる：
【００２４】
【数４】
2005514124.tif 000006
【００２５】
式（１）及び式（２）を共に用いると、式（３）が得られる：
【００２６】
【数５】
2005514124.tif 000007
【００２７】
ここで、
【００２８】
【数６】
2005514124.tif 000008
【００２９】
は時間に対するコイル電流Ｉ(ｔ)の偏導関数である。容量結合で成功した時間依存性と合わせるために、電流の時間依存性は正弦波で６０ｋＨｚの周波数になるように選ばれている。従って、Ｉは式（４）により与えられる。
【００３０】
【数７】
2005514124.tif 000009
【００３１】
ここでＩｏは正弦波の振幅であり、又、ｗ＝２πｆである。ここで、ｆは６０ｋＨｚに等しい周波数である。そして、式（４）を式（３）に代入すると、式（５）及び式（６）になる。
【００３２】
【数８】
2005514124.tif 000010
【００３３】
ここで、／Ｅｏ／は電界の振幅である。その場合、ｆ＝６×１０４Ｈｚ、μ０＝１．２６×１０−６Ｈｚ／ｍ、ｒ＝２×１０−２ｍ、π＝３．１４である。従って、式（６）は簡略化されて式（７）になる：
【００３４】
【数９】
2005514124.tif 000011
【００３５】
例えば、以下のパラメーターを持つコイルの場合、電界の振幅値／Ｅ０／が２２．４ｍＶ／ｃｍ即ち２．２４Ｖ／ｍとなる：
【００３６】
【数１０】
2005514124.tif 000012
【００３７】
当該分野の技術者であれば、コイルの巻き回数を大きくすると、及び（又は）、コイルの電流を大きくすると、これらの電界振幅に対する値が大きくなることを理解しうるだろう。さらに、コイル内に磁気材料を用いることで、磁束密度Ｂそれゆえ／Ｅ／ の値を大きくできる。さらに、６０ｋＨｚの高調波を持つ方形パルス波を用いて、信号強度を高めることができる。
【００３８】
事例＃２  Ｎ回巻きの「競技トラック」形コイル（図１）
図１の脊椎用コイル１０の場合、コイルの全長Ｌを椎骨の直径ｂの２倍より大きいことを想定している。競技トラック形のコイル１０の中心の磁束Ｂの近似値は式（８）により与えられる：
【００３９】
【数１１】
2005514124.tif 000013
【００４０】
ここで，Ｉは競技トラック形コイル１０の電流である。ｂ及びＬは図１に示すとおりである。もし、Ｌ＞＞ｂとすると、式８は式９になる：
【００４１】
【数１２】
2005514124.tif 000014
【００４２】
式（１）に式（９）を用いると、式（１０）になる：
【００４３】
【数１３】
2005514124.tif 000015
【００４４】
もし、Ｉ＝Ｎ・Ｉ０・ｅｉｗｔ即ち、６０ｋＨｚの正弦波でＮ回巻きの場合である：
【００４５】
【数１４】
2005514124.tif 000016
【００４６】
（図１に基づいて）ｒ＝ａ、ａ＝ｂとすると：
【００４７】
【数１５】
2005514124.tif 000017
【００４８】
μo＝１．２６・１０−６Ｈｚ／ｍであれば、／Ｅo／＝２．２６Ｖ／ｍ＝２２．６ｍＶ／ｃｍとなる。ただし、以下の数値の場合である：
【００４９】
【数１６】
2005514124.tif 000018
【実施例３】
【００５０】
電源装置の設計
電源装置は軽量（約８オンス）、かつ、小型（ほぼ、シガレット・ケースのサイズ）であり、蓄電池パックで動作する。
【００５１】
ヒップの場合、電源装置は抵抗／トランジスター（又は回路チップ）を有し、６０ｋＨｚで１００ｍＡの正弦波振幅を有する正弦波電流を、導電材料を２０００回巻きしたコイルに送出するように設計されている。これにより、ヒップ内部に２２．４ｍＶ／ｃｍの電界を生じる。
【００５２】
脊椎の場合、同じ電源装置の設計で、６０ｋＨｚで１００ｍＡの正弦波振幅を有する正弦波電流を、導電材料を３００回巻きしたコイルに送出する。これにより、椎骨内部に２２．６ｍＶ／ｃｍの電界を生じる。
【００５３】
この電源装置の追加機能には、医師用の読取り装置、適合性監視装置、安定回路、及び、最新の電子工学に適合した他の機能が含まれる。
【実施例４】
【００５４】
衣類の設計
脊椎用の衣類はアンダーシャツの外観を有し、導電性で柔軟なコイル１０を、脊椎２０の適当な領域の上になるように衣類に織り込むか、又は、適当な高さでアンダーシャツに付けたポーチに挿入するかできる。他方、希望の位置にＶＥＬＣＲＯ（Ｒ）（マジックテープ）のストリップを用いて取付けられる。
【００５５】
図５（ａ）は、患者の脊椎の治療領域の上に中心を置いて配置し、保持するために、アンダーシャツ６０に織り込まれた、図１に示したタイプの柔軟な導電性コイル７０を含めるように修正したアンダーシャツ６０を示している。ソフトで屈曲できるリード線付きのコネクター８０により、コイル７０を電源パック（図示せず）に接続している。好ましくは、電源パックは患者のウエスト(waist)の回りのベルトに取付けるか、アンダーシャツ６０のポーチ内に保持される。
【００５６】
図５（ｂ）は図１に示されたタイプの柔軟な導電性コイル１１０を受入れるためのポーチ１００を含めるように変更したアンダーシャツ９０を示しているが、コイル１１０はポーチ１００に挿入しやすいように基板又は布地に取付けられている。ポーチ１００の中心が患者の脊椎の治療領域の上になるようにしている。コネクター１２０はコイル１１０を電源パック１３０に接続し、電源パック１３０は図示されているように、好ましくは、患者のウエストの回りのベルトに取付けるか、アンダーシャツ９０のポーチ１４０に置かれている。ポーチは希望に応じてＶＥＬＣＲＯ（Ｒ）のストリップ又は他のタイプの閉じ具（例えばジッパー）を用いて封じることができる。
【００５７】
図５（ｃ）は、示されるように、希望の距離だけ間隔を置いて脊椎に沿うように配置され、通常形式でアンダーシャツ１５０に取付けられたＶＥＬＣＲＯ（Ｒ）のループ(loop)（L)１６０を含めるように修正されたアンダーシャツ１５０を示す。図１に示したタイプの柔軟な導電性コイル１７０は、基板又は布地に取付け、又は、ＶＥＬＣＲＯ（Ｒ）のループ（L)１８０を用いたポーチに挿入して、対向するＶＥＬＣＲＯ（Ｒ）の位置決め具１６０及び１８０を結合することにより患者の脊椎の治療領域の上に中心を置くようにする。コネクター１９０がコイル１７０を電源パック１３０に接続する。示されているように、好ましくは、電源パック１３０は患者のウエストの回りのベルトに取付けるか、アンダーシャツ１５０のポーチ１４０内に保持される。ポーチは、希望に応じてＶＥＬＣＲＯ（Ｒ）のストリップ又は他のタイプの閉じ具（例えばジッパー）を用いて封じることができる。
【００５８】
ヒップ用衣類は、図２の柔軟な導電性コイルを、ヒップの一方又は両方に中心を置くように、ヒップの一方又は両方の上になるように衣類に織り込むか、又は、パンティ又は男性用ショーツの中のポーチに挿入するために別個の布地又は基板に取付けて、パンティ又はショーツと一体にした外観にするか、コイル４０を希望の位置にＶＥＬＣＲＯ（Ｒ）のストリップで取付ける。
【００５９】
図６（ａ）は、患者のヒップの治療領域に中心が来るように配置し、保持するため、パンティ又はショーツ２００に織り込まれた図２に示したタイプの柔軟な導電性コイル２１０を含めるように修正したパンティ又はショーツ２００を示している。ソフトで屈曲できるリード線付きのコネクター２２０により、コイル２１０を電源パック（図示せず）に接続している。好ましくは、電源パックは患者のウエストの回りのベルトに取付けるか、パンティ又はショーツ２００のポーチ内に保持される。
【００６０】
図６（ｂ）は図２に示したタイプの柔軟な導電性コイル２５０を受けるポーチ２４０を含めるように修正されたパンティ又はショーツ２３０を示しているが、コイル２５０はポーチ２４０に挿入しやすいように基板又は別個の下地に取付けられている。ポーチ２４０は患者のヒップの治療領域に中心を置くようになっている。コネクター２６０がコイル２５０を電源パック２７０に接続する。示されているように、好ましくは、電源パック２７０は患者のウエストの回りのベルトに取付けるか、パンティ又はショーツ２３０のポーチ２８０内に保持される。ポーチは、希望に応じてＶＥＬＣＲＯ（Ｒ）のストリップ又は他のタイプの閉じ具（例えばジッパー）を用いて封じることができる。
【００６１】
図６（ｃ）は、示されるように、希望の距離だけ間隔を置いてヒップに沿うように配置され、通常形式でパンティ又はショーツ２９０に取付けられたＶＥＬＣＲＯ（Ｒ）のループ（L)３００を含めるように修正されたパンティ又はショーツ２９０を示す。図２に示したタイプの柔軟な導電性コイル３１０は、基板又は布地に取付け、又は、ＶＥＬＣＲＯ（Ｒ）のループ（L)３２０を用いたポーチに挿入して、対向するＶＥＬＣＲＯ（Ｒ）の位置決め具３００及び３２０を結合することにより患者のヒップの治療領域の上に中心を置くようにする。コネクター３３０がコイル３１０を電源パック３４０に接続する。好ましくは、電源パック１３０は患者のウエストの回りのベルトに取付けるか、パンティ又はショーツ２９０のポーチ２８０（図６（ｂ））内に保持される。ポーチは、希望に応じてＶＥＬＣＲＯ（Ｒ）のストリップ又は他のタイプの閉じ具（例えばジッパー）を用いて封じることができる。
【００６２】
本発明の例示的実施例が上記で詳細に示されているけれども、本発明の新規の内容及び利点から実質的に逸脱せずに、例示的実施例に多くの些細な変更を追加することが可能なことは当該分野の技術者であれば容易に理解し得よう。例えば、異なる特性及び異なる固有周波数（例えば、３０ｋＨｚから２５０ｋＨｚの範囲で）の他の電気信号をコイルの加えて本発明に基づく治療を行える。そのような小規模修正は請求項で定義した本発明の範囲内に含まれるはずである。
【図面の簡単な説明】
【００６３】
【図１（ａ）−１（ｂ）】コイルを患者の脊椎の治療領域上に置くために、長円形に作られて、患者が着用した衣類と一体になったＮ回巻きのコイル状電線のそれぞれ側面図と前面図である。
【図２（ａ）−２（ｂ）】コイルを患者のヒップの一方の治療領域上に置くために、円形で、患者が着用した衣類と一体になったＮ回巻きのコイル状電線のそれぞれ前面図と側面図である。
【図３】図２のコイルの形状を示す。
【図４】図２のコイルにより生じた磁束Ｂzを示す。
【図５（ａ）】患者の脊椎の治療領域上に置くために下着に織り込んだ図１の柔軟な導電性コイルを含めるように修正した下着を示す。
【図５（ｂ）】患者の脊椎の治療領域上に置くために図１の柔軟な導電性コイルを受入れるためのポーチを含めるように修正した下着を示す。
【図５（ｃ）】図１の柔軟な導電性コイルを受入れるために患者の脊椎の希望する治療位置にＶＥＬＣＲＯ（Ｒ）のストリップを含めるように修正した下着を示す。
【図６（ａ）】患者のヒップの一方又は両方の上に置くためにパンティに織り込まれた図２の柔軟な導電性コイルを含めるように修正した婦人用パンティを示す。
【図６（ｂ）】患者のヒップの一方又は両方の上に置くためにポーチに挿入するため、別個の布地又は基板上に取付けられた図２の柔軟な導電性コイルを受入れるためのポーチを含めるように修正した婦人用パンティを示す。
【図６（ｃ）】患者のヒップの上に図２の柔軟な導電性コイルを受入れるためにＶＥＬＣＲＯ（Ｒ）のストリップを含めるように修正した婦人用パンティを示す。
【図１（ａ）−（ｂ）】
2005514124.tif 000019
【図２（ａ）−（ｂ）】
2005514124.tif 000020
【図３】
2005514124.tif 000021
【図４】
2005514124.tif 000022
【図５（ａ）】
2005514124.tif 000023
【図５（ｂ）】
2005514124.tif 000024
【図５（ｃ）】
2005514124.tif 000025
【図６（ａ）】
2005514124.tif 000026
【図６（ｂ）】
2005514124.tif 000027
【図６（ｃ）】
2005514124.tif 000028
【国際調査報告】
2005514124.tif 000029
2005514124.tif 000030